(57)【要約】      （修正有）【課題】結婚式などのフォーマルな席でのおしゃれ着用の装飾カフスリンクスと、ビジネスでの仕事着用のボタンリンクスとに共用できるカッターシャツを提供する。【解決手段】カッターシャツの長袖の袖口で、剣ボロ１１１から分かれた上ボロ１１２と下ボロ１１３に続く上カフス１１４と下カフス１１５を有するカッターシャツにおいて、上カフス１１４には第一カフスホール３０１を設けると共に第一カフスホール３０１に装飾カフスリンクス２００を装着し、下カフス１１５には、装飾カフスリンクス２００の脚部材とバッキングを挿入して上カフス１１４と下カフス１１５の裏面同士を接触させて閉止することを可能にする一方、装飾カフスリンクス２００のフェイスを挿入して上カフス１１４の表面に下カフス１１５の裏面を重ねて閉止することを可能にした第二カフスホール３０２を設けた。【選択図】図２
0003232669.tif 000002
【実用新案登録請求の範囲】
【請求項１】
カッターシャツの長袖の袖口（１０４）で、剣ボロ（１１１）から分かれた上ボロ（１１２）と下ボロ（１１３）に続く上カフス（１１４）と下カフス（１１５）を有するカッターシャツ（ＣＳ２）において、前記上カフス（１１４）には第一カフスホール（３０１）を設けると共に前記第一カフスホール（３０１）に装飾カフスリンクス（２００）を装着し、前記下カフス（１１５）には、前記装飾カフスリンクス（２００）の脚部材（２０２）とバッキング（２０３）を挿入して前記上カフス（１１４）と下カフス（１１５）の裏面同士を接触させて閉止することを可能にする一方、前記装飾カフスリンクス（２００）のフェイス（２０１）を挿入して前記上カフス（１１４）の表面に下カフス（１１５）の裏面を重ねて閉止することを可能にした第二カフスホール（３０２）を設けたことを特徴とするカッターシャツ。
【考案の詳細な説明】
【技術分野】
【０００１】  本考案は、カッターシャツ（：ワイシャツとも言う）に関する。
【背景技術】
【０００２】  カッターシャツは、主に白や淡色で男性の背広の下に着用し、主に白や淡色で男性の背広の下に着用するものであり、前開きの前身頃と後見頃に衿と両袖を取り付け、前身頃の通常左側の見立てにボタンカフスを付け、右側の見立てにカウスホールを設け、両袖のカフス（：袖口）にボタンを付けて着用するスタイルである。
一般的な着用スタイルとしては、ネクタイを着用するのが一般的だが、ビジネスの現場においてオープンカラーでの着こなしも一般的になってきている。
また、カフスはボタンで留めるだけでなく、カフスリンクスを使用して留めることも可能なコンバーチブルタイプのカフスを選ぶとカッターシャツを華やかに演出することができる。【０００３】  ところでカフスは、カッターシャツやブラウスなどのシャツ、ジャケットやジャンパー、外套などの上着、カーディガンなどトップス全般、上下一体のものでもワンピースなどで、腕を通す袖の端を言う。長袖では手首が出る部分であり袖口とも言う。
英語のｃｕｆｆ（複数形：ｃｕｆｆｓ）がそのまま片仮名で「カフ」、「カフス」として使われるが、日本ではこれらはカッターシャツの袖口を指すことが多い。袖と同じ端を単に折り返して縫い、ほつれ止めしただけのものもあれば、長袖で、装飾や補強のために別に設けて縫い付けられたものもある。また、単に筒状ではなく、手首よりも大きな掌部分を通しやすいように、また体温調節や汚れ防止のために捲り上げやすいように、剣ボロから上ボロと下ボロに裁ち開かれており、上ボロと下ボロには上カフスと下カフスになっているものがある。上カフスと下カフスを留めるためには通常ボタンやカフリンクス、スナップ、ファスナー、面ファスナーなどが用いられる。
【考案の概要】
【考案が解決しようとする課題】
【０００４】  ビジネスシーン用のカッターシャツは、上カフスの表面にボタンリンクスを付け、下カフスにスリット状のカウスホールを設けており、前記ボタンリンクスは下カフスのカウスホールをその裏側から通してその表面側に位置させて上カフスと下カフスを閉じる。
おしゃれ着用のカッターシャツは、上カフスと下カフスにはスリット状のカウスホールを設け、上カフスの裏面と下カフスの裏面を合わせて装飾カフリンクスで上カフスと下カフスを閉じる。この際装飾カフリンクスは、フェイスを上カフスのカウスホールの表面に位置させ、脚部材とバッキングを前記両カウスホールを通し、バッキングを下カフスのカウスホールの表面に出して９０度まわしてＴ型にして上カフスと下カフスを閉じる。【０００５】  このように従来のカッターシャツは、ボタンリンクス付きのビジネスシーン用のカッターシャツか、装飾カフリンクスを用いるおしゃれ着用のカッターシャツに分かれていたので、結婚式などのフォーマルな席でのおしゃれ着と、ビジネスシーンでの仕事着には共用できない。
本考案は、同一カッターシャツで結婚式などのフォーマルな席でのおしゃれ着と、ビジネスシーンでの仕事着にも共用できるカッターシャツを提供する。
【課題を解決するための手段】
【０００６】  上記課題を満足させる本考案における主な技術構成は、次の（１）の通りである。
（１）、カッターシャツの長袖の袖口（１０４）で、剣ボロ（１１１）から分かれた上ボロ（１１２）と下ボロ（１１３）に続く上カフス（１１４）と下カフス（１１５）を有するカッターシャツ（ＣＳ２）において、前記上カフス（１１４）には第一カフスホール（３０１）を設けると共に前記第一カフスホール（３０１）に装飾カフスリンクス（２００）を装着し、前記下カフス（１１５）には、前記装飾カフスリンクス（２００）の脚部材（２０２）とバッキング（２０３）を挿入して前記上カフス（１１４）と下カフス（１１５）の裏面同士を接触させて閉止することを可能にする一方、前記装飾カフスリンクス（２００）のフェイス（２０１）を挿入して前記上カフス（１１４）の表面に下カフス（１１５）の裏面を重ねて閉止することを可能にした第二カフスホール（３０２）を設けたことを特徴とするカッターシャツ。
【考案の効果】
【０００７】  本考案のカッターシャツは、ビジネスシーン用とおしゃれ着用の共用カッターシャツであり結婚式などのフォーマルな席でのおしゃれ着と、ビジネスシーンでの仕事着には装飾カフリンクス一つの簡単な使い方でチェンジできる利便性の優れたカッターシャツである。【０００８】  前記上カフスに装飾カフスリンクスを装着する方法として、次の例が掲げ上げられる。
１）、装飾カフスリンクスのフェイス又は脚部材に糸通し孔を設けて上カフスの第一カフ    スホールに縫い付ける方法。
２）、装飾カフスリンクスをボタンリンクスとして使用する場合はバッキングを上カフス    の第一カフスホールの裏側に位置させて第一カフスホールからの抜けを防止する方法    。
３）、装飾カフスリンクスの脚部材の中間部にストッパーを付設しこのストッパーを上カ    フスの第一カフスホールの裏側に位置させて第一カフスホールからの抜けを防止する    方法。この方法では装飾カフスリンクスは前記ストッパーと前記バッキングの二重ス    トッパーの構成を有することになる。
４）、装飾カフスリンクスのフェイスを磁性金属にし、脚部材を永久磁石にして前記フェ    イスに着脱可能にする方法。
５）、装飾カフスリンクスのフェイスの下部を凹型受けホックにし、バッキングの上部に    前記凹型受けホックの凹型に着脱可能にした凸ホック部を形成する方法。
【図面の簡単な説明】
【０００９】
【図１】本考案のカッターシャツの実施例を示す正面説明図である。
【図２】図１に示すカッターシャツの右側袖の上・下カフス部の拡大説明図である。
【図３】装飾カフスリンクスとして上・下カフスを裏合わせで締めた斜視図（１）であり、（２）は（１）の矢視Ａ−Ａからの断面説明図である。
【図４】装飾カフスリンクスをボタンリンクスとして上・下カフスを表合わせで締めた斜視図（１）であり、（２）は（１）の矢視Ｂ−Ｂからの断面説明図である。
【図５】図３の断面説明図の拡大説明図（１）と図４の断面説明図の拡大説明図（２）である。
【考案を実施するための形態】
【００１０】  本考案を実施するための形態を図１〜図５に示す実施例により詳細に説明する。
図１において、本例のカッターシャツＣＳ２は、主に白や淡色で男性の背広の下に着用するものであり、前開きの前身頃１０１と後見頃１０２に衿１０３と両長袖１０４を取り付け、前身頃１０１の図に向かって左側の見立て１０５にボタン１０６を付け、右側の見立て１０８にボタン穴１０７を設ける。
【００１１】  図２において、カッターシャツの長袖１０４の袖口は、剣ボロ１１１から上ボロ１１２と下ボロ１１３に上下に分かれる。上ボロ１１２には上カフス１１４が下ボロ１１３には下カフス１１５が設けられる。本例は右袖１０４の袖口の例を示す。
前記上カフス１１４と下カフス１１５の開閉は装飾カフスリンクス２０の一個により行う。
【００１２】  図３の（１）と（２）及び図４の（１）と（２）において、装飾カフスリンクス２００は、フェイス２０１とその下部に設けた脚部材２０２と脚部材２０２の先端に９０度回転可能に取り付けたバッキング２０３とで構成してある。
フェイス２０１には図５の（１）と（２）に示すように下面に針孔２０１−１を設けるか又は脚部材２０２に針孔２０２−１を設ける。
前記上カフス１１４には、スリット状の第一カフスホール３０１を設けこの第一カフスホール３０１に、装飾カフスリンクス２００のフェイス２０１の前記針孔２０１−１に又は脚部材２０２の針孔２０１−２に糸を通して縫い付け装着する。前記下カフス１１５にはスリット状の第二カフスホール３０２を設けてある。
【００１３】  通常不使用時の装飾カフスリンクス２００は図２に示すように、バッキングをフリーにして使用せず、フェイス２０１を上カフス１１４に付けたままにして上カフス１１４と下カフス１１５をオープンにしてある。
【００１４】  装飾カフスリンクス２００を装飾カフスリンクスとして使用するときは、図３に示すように上カフス１１４の先の裏面に下カフス１１５の先の裏面を当てて、装飾カフスリンクス２００のバッキング２０２を前記第二カフスホール３０２に通してバッキング２０２を９０度回転させてＴ型にして抜けないようにし上カフス１１４と下カフス１１５の両カフスを閉じるのである。
【００１５】  装飾カフスリンクス２００をボタンリンクスとして使用するときは、前記不使用時の状態から図４に示すように上カフス１１４の先の表面に下カフス１１５の先の裏面を当て重ね、装飾カフスリンクス２００のフェイス２０１を下カフス１１５の前記第二カフスホール３０２に通して上カフス１１４と下カフス１１５の両カフスを閉じるのである。
【００１６】  このワイシャツＣＳ２により、結婚式などのフォーマルな席でのおしゃれ着の際は、図２に示すように装飾カフスリンクス２００を装飾カフスリンクスとして付けて着用すればよい。
またビジネスシーンでの仕事着には図３に示すように装飾カフスリンクス２００は、その脚部材２０２−１とバッキング２０２を第二カフスホール３０２から一旦外すと共に下カフス１１５を表返して第二カフスホール３０２にフェイス２０１を通せばボタンリンクスとして即変換することができる優れものである。
【産業上の利用可能性】
【００１７】  本考案は、前述の優れた作用効果を呈して一般家庭では勿論、被服産業に寄与と発展に貢献すること多大なものがある。
【符号の説明】
【００１８】ＣＳ２：カッターシャツ
１０１：前開きの前身頃
１０２：後見頃
１０３：衿
１０４：袖
１１１：剣ボロ
３０１：第一カフスホール
１１２：上ボロ
１１３：下ボロ
１１４：上カフス
１１５：下カフス
２００：装飾カフスリンクス
２０１：フェイス
２０１−１：針孔
２０２：脚部材
２０２−１：針孔
２０３：バッキング
３０２：第二カフスホール
【図１】
0003232669.tif 000003
【図２】
0003232669.tif 000004
【図３】
0003232669.tif 000005
【図４】
0003232669.tif 000006
【図５】
0003232669.tif 000007